(57)【特許請求の範囲】
【請求項１】
鈍角乃至は鈍角に近い先端角を有する先端切刃が形成された先端部と、該先端部の軸方向基部側に連続して設けられた、該先端部の先端角よりも小さい鋭角のテーパ角を有するテーパ切刃が形成されたテーパ部とを、備えたテーパ付ドリルにおいて、
前記テーパ部の外周面を前記テーパ切刃からヒール側に行くに従って次第に小径化する逃げ面とすると共に、該逃げ面に対して、前記テーパ切刃側の端部近くを該テーパ切刃に沿って延びる凹状の逃げ部を形成すると共に、ヒール側の端部近くを該ヒールに沿って延びる凸状の隆起部を形成したことを特徴とするテーパ付ドリル。
【請求項２】
前記テーパ切刃を、０．５〜１５度のねじれ角で形成すると共に、該テーパ切刃を形成するすくい面を平面形状とした請求項１に記載のテーパ付ドリル。
【請求項３】
前記テーパ部を、軸方向に連続して形成された複数の分割テーパ部によって構成すると共に、それら複数の分割テーパ部におけるテーパ切刃のテーパ角を、前記先端部に近い程大きくなるようにした請求項１又は２に記載のテーパ付ドリル。
【請求項４】
前記逃げ部を、前記切刃と略平行に延びる略円弧形底面の凹溝形状とした請求項１乃至３の何れかに記載のテーパ付ドリル。
【請求項５】
前記テーパ部における大径側の軸方向端部に対して、中心軸方向に一定の外径寸法で延びる非テーパ部を連続して形成し、該非テーパ部にまで前記テーパ切刃を形成する溝を延び出させて形成すると共に、該非テーパ部の外径寸法を周方向に変化させて逃げ面を形成した請求項１乃至４の何れかに記載のテーパ付ドリル。
【請求項６】
前記テーパ部の大径側の軸方向端部において、軸直角方向に広がるストッパ面を備えたフランジ部を一体形成して、該フランジ部にまで前記テーパ切刃を形成する溝を延び出させて形成すると共に、該フランジ部における該ストッパ面の内周側隅部に対して、周方向に延びるくびれ状の周溝を形成した請求項１乃至５の何れかに記載のテーパ付ドリル。
【請求項７】
前記逃げ面が、
（ｉ  ）前記テーパ切刃から前記ヒール側に向かって、中心軸を中心とする円：Ｃ１に対して周方向で漸次増大する径方向内方への一番すかし量：Ｓ１をもって周方向に延びる一番逃げ面としてのテーパ逃げ面（４２，４４）と、
（ｉｉ）該テーパ逃げ面（４２，４４）の回転方向後方の端部においてテーパ切刃に沿って直線的に延びるように形成された逃げ部（４６，４８）に対して、該逃げ部（４４，４６）よりも回転方向後方に位置して、該テーパ逃げ面（４２，４４）の延長線：Ｃ２よりも更に径方向内方に二番すかし量：Ｓ２だけ離隔して位置せしめられた二番逃げ面（５０，５０）と、
によって構成されており、それによって該一番逃げ面としてのテーパ逃げ面（４２，４４）と該二番逃げ面（５０，５０）との境界部分に該逃げ部（４６，４８）が形成されている請求項１乃至６の何れかに記載のテーパ付ドリル。
【発明の詳細な説明】
【０００１】
【技術分野】
本発明は、先端切刃を有する先端部の軸方向基部側に連続して、テーパ状に拡径するテーパ切刃を有するテーパ部が形成されたテーパ付ドリルに係り、特に、金属板等への穿孔作業に好適に用いられる、改良された構造のテーパ付ドリルに関するものである。
【０００２】
【背景技術】
従来から、金属等への穿孔用工具として、先端に切刃を有すると共に、外周面に開口して軸方向に延びる切屑排出用の溝をもった各種のドリルが提案されており、その一種として、実開平５−４９２１１号公報に記載されているように、鈍角乃至は鈍角に近い先端角を有する先端切刃が形成された先端部と、該先端部の軸方向基部側に連続して設けられた、該先端部の先端角よりも小さい鋭角のテーパ角を有するテーパ切刃が形成されたテーパ部とを、備えたテーパ付ドリルが、知られている。
【０００３】
このようなテーパ付ドリルは、先端切刃によって穿った小径穴を、軸方向基部側に控えたテーパ切刃で連続して拡径することによって、比較的大径の穴を効率的に穿つことが可能であり、例えば、数ｍｍ以下の比較的薄肉の金属板に対してボルト挿通孔等の比較的大径の孔を穿つ場合等に用いられており、特に、建築物等におけるコンクリート床形成用支持基板としてのデッキプレートに対してボルト挿通孔を穿つ場合などに、好適に採用されている。
【０００４】
ところで、テーパ付ドリルにおけるテーパ切刃は、金属板等の穿孔対象物に対して連続的に切り込んで次第に拡径するように穿孔して行くことから、先端部を除くボデー全長に亘って外径寸法が一定のリーディングエッジを形成した一般的なストレートタイプのドリルに比して、テーパ切刃の周方向後方に位置する外周面が穿った孔の内周面に摺接し易い。そのために、穿孔に際してのドリルと穿孔対象物の摩擦抵抗が大きくなり易く、ドリルの駆動に大きなパワーの駆動源が必要とされると共に、ドリルの駆動反力が大きく、人手で穿孔作業を行う場合に大きな力が必要になるという問題があった。また、穿孔に際してドリルに発生する摩擦熱が大きく、ドリルの耐久性等に悪影響が及ぼされ易いという問題もあった。
【０００５】
なお、このような問題に対処するために、従来から、テーパ部の外周面の外径寸法を、テーパ切刃から周方向後方に行くに従って次第に小径化させて、テーパ部の外周面を中心軸回りの円周面に対して径方向内方に逃げた逃げ面とした構造が採用されている。しかしながら、かかる逃げ面の径方向内方への逃げ量が小さいと、穿孔対象物の材質や穿孔時の軸方向荷重などによってテーパ切刃による穿孔対象物への切込量が大きくなった場合に、逃げ面が穿った孔の内周面に摺接してしてしまうおそれがある一方、逃げ面の径方向内方への逃げ量を大きくすると、穿った孔の内周面に対するドリルの接触が、僅かにテーパ切刃の点当り部分だけとなってしまうために、穿孔作業に際しての振れや振動が大きくなって、穿孔の加工精度の低下や作業の困難化などの問題が発生し易いという問題があり、必ずしも有効な方策ではなかったのである。
【０００６】
【解決課題】
ここにおいて、本発明は、上述の如き事情を背景として為されたものであって、その解決課題とするところは、穿孔時における穿孔対象物との摺動抵抗の低減と、穿孔作動の安定化という、相反する二つの要求特性を、両立的に且つ高度に達成することのできる、新規な構造のテーパ付ドリルを提供することにある。
【０００７】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【０００８】
本発明の第一の態様は、鈍角乃至は鈍角に近い先端角を有する先端切刃が形成された先端部と、該先端部の軸方向基部側に連続して設けられた、該先端部の先端角よりも小さい鋭角のテーパ角を有するテーパ切刃が形成されたテーパ部とを、備えたテーパ付ドリルにおいて、前記テーパ部の外周面を前記テーパ切刃からヒール側に行くに従って次第に小径化する逃げ面とすると共に、該逃げ面に対して、前記テーパ切刃側の端部近くを該テーパ切刃に沿って延びる凹状の逃げ部を形成すると共に、ヒール側の端部近くを該ヒールに沿って延びる凸状の隆起部を形成したことを、特徴とする。
【０００９】
このような本態様に従う構造とされたテーパ付ドリルにおいては、テーパ切刃を形成するランドの外周面に逃げ部を形成したことにより、該逃げ部と隆起部の間の外周面が、テーパ切刃と逃げ部の間に形成された逃げ面の一定曲率での周方向延長線よりも径方向内方に位置せしめられた二番逃げ面とされる。これにより、穿孔に際してのテーパ部外周面の孔内周面に対する摺接が、二番逃げ面の形成部位で回避されることとなり、摺接面積の減少が図られ得る。
【００１０】
その結果、穿孔に際してのドリルと穿孔対象物の摩擦抵抗が抑えられて、ドリルの駆動に必要とされる駆動力の軽減や、ドリルの駆動反力の減少に伴う穿孔作業性の向上、および摩擦熱の軽減に伴うドリルの耐久性の向上などが達成され得る。
【００１１】
また、かかるテーパ付ドリルにおいては、テーパ切刃を形成するランドの外周面におけるヒール側の端部近くに隆起部を形成したことにより、穿孔に際して、定常的に或いは適宜に、隆起部が孔内周面に当接せしめられることとなる。その結果、穿孔に際して、ドリル外周面の孔内周面に対するテーパ切刃だけの点当り的な不安定な当接状態が回避されて、穿孔作業を安定して行うことが可能となり、穿孔作業性が向上されると共に、穿孔形状等の穿孔精度も向上され得る。
【００１２】
特に、テーパ切刃を形成するランドの外周面において、隆起部が、テーパ切刃と反対のヒール側の端部近くに形成されており、それらテーパ切刃と隆起部による孔内周面に対する当接点が、周方向で十分に大きく離隔位置せしめられることから、それらテーパ切刃と隆起部の孔内周面への当接による穿孔作動の安定性の向上効果が一層有利に発揮され得るのである。
【００１３】
なお、テーパ切刃のテーパ角の大きさは、穿孔対象物の材質や使用する電動機等のパワー、穿孔する孔径等に応じて適宜に設定されるものであるが、数ｍｍ以下の一般的な鉄鋼製のデッキプレートに１０〜３０ｍｍφの孔を穿つ場合には、穿孔効率や穿孔作業性等を考慮して３〜３０度のテーパ角とすることが望ましい。また、先端部の外径寸法、即ち先端切刃の外径寸法は、余り大きくすると、先端切刃による摺動抵抗や発熱等の問題が発生するおそれがあることから、穿孔対象物の材質や使用する電動機等のパワー、穿孔する孔径等によっても異なるが、８ｍｍ以下とすることが望ましく、より好適には４ｍｍ以下とされる。なお、先端部には、切削抵抗と摺動摩擦を抑えるために、逃げ面を形成することが望ましく、シンニングも好適に採用される。
【００１４】
また、先端部とテーパ部を含むテーパ付ドリルの材質は、特に限定されるものでなく、従来から知られている高速度工具鋼や超硬合金，超硬質非合金などの各種のドリル材が採用可能であり、必要に応じてコーティングや表面処理も採用され得る。更にまた、本態様に係るテーパ付ドリルには、その大径側端部に対して、装着される電気ドリル等の主軸に装着するためのシャンクが、装着部の構造に応じた適当な形状をもって、適宜に形成される。また、本態様に係るテーパ付ドリルにおいては、むくドリル構造の他、溶接ドリル構造や、付刃ドリル構造、先むくドリル構造，差込みドリル構造などを、必要に応じて採用することが出来る。
【００１５】
また、本発明の第二の態様は、前記第一の態様に従う構造とされたテーパ付ドリルにおいて、前記テーパ切刃を、０．５〜１５度のねじれ角で形成すると共に、該テーパ切刃を形成するすくい面を平面形状としたことを、特徴とする。このような本態様のテーパ付ドリルにおいては、テーパ切刃のねじれ角を０．５〜１５度としたことにより、特に数ｍｍ以下の肉厚寸法を有する鉄鋼製のデッキプレートへの穿孔を効率的に行うことが可能となる。また、０．５〜１５度と比較的に小さなねじれ角を採用して、すくい面が平面形状とされていることから、すくい面、延いてはテーパ付ドリルを、切削加工等によって容易に製造することが出来るのである。なお、テーパ切刃のねじれ角は、穿孔対象物の材質や肉厚寸法，穿孔径等に応じて適宜に設定されるものであるが、数ｍｍ以下の一般的なデッキプレートに１０〜３０ｍｍφの孔を穿つ場合には、穿孔効率や穿孔作業性等を考慮して１〜５度のねじれ角とすることが望ましい。また、中心軸を含む面に対するすくい面の傾斜角度（すくい面傾斜角）は、テーパ切刃の特に大径側部分において、３〜１０度とすることが望ましく、それによって、切削性と耐久性が両立され得る。
【００１６】
また、本発明の第三の態様は、前記第一又は第二の態様に従う構造とされたテーパ付ドリルにおいて、前記テーパ部を、軸方向に連続して形成された複数の分割テーパ部によって構成すると共に、それら複数の分割テーパ部におけるテーパ切刃のテーパ角を、前記先端部に近い程大きくなるようにしたことを、特徴とする。このような本態様のテーパ付ドリルにおいては、穿孔作業の進行に伴って孔が大径化した場合に、テーパ切刃のテーパ角が小さくされて、穿孔対象物に対するテーパ切刃の切り込み量が抑えられるのであり、それによって、ドリルの回転中心軸とテーパ切刃の穿孔点の間の距離が大きくなることに起因する穿孔反力の増大が軽減乃至は回避される。それ故、かかるテーパ付ドリルを採用すれば、特に大径の孔を穿つ際の作業性が向上されるのである。
【００１７】
また、本発明の第四の態様は、前記第一乃至第三の何れかの態様に従う構造とされたテーパ付ドリルにおいて、前記逃げ部を、前記切刃と略平行に延びる略円弧形底面の凹溝形状としたことを、特徴とする。このような本態様のテーパ付ドリルにおいては、研削盤を用いた研削加工等によって、テーパ付ドリルの逃げ面に対して目的とする逃げ部を容易に形成することが可能となる。なお、逃げ部の深さは、逃げ部と隆起部の間の外周面が穿孔内周面に当接するのを有利に回避するために、１０μｍ以上とすることが望ましく、また、テーパ切刃や隆起部の強度や耐久性を十分に確保すると共に、製造を容易とするために、２００μｍ以下とすることが望ましい。
【００１８】
また、本発明の第五の態様は、前記第一乃至第四の何れかの態様に従う構造とされたテーパ付ドリルにおいて、前記テーパ部における大径側の軸方向端部に対して、中心軸方向に一定の外径寸法で延びる非テーパ部を連続して形成し、該非テーパ部にまで前記テーパ切刃を形成する溝を延び出させて形成すると共に、該非テーパ部の外径寸法を周方向に変化させて逃げ面を形成したことを、特徴とする。このような本態様のテーパ付ドリルにおいては、穿孔対象物に切り込むテーパ切刃の作用位置がテーパ部から非テーパ部に変わる際に作業者の感覚が変化することにより、穿孔作業の完了を作業者が容易に認識することが出来ると共に、非テーパ部に形成された切刃によって穿った孔の内周面を高精度に仕上げることが出来る。なお、非テーパ部は、拡径穿孔を目的とするものでないことから、切刃よりも小さな径寸法で周方向に延びる逃げ面を形成するだけで、孔の内周面に対する摺動抵抗を十分に抑えることが出来るのであり、テーパ部における逃げ部や隆起部は必ずしも形成する必要がない。
【００１９】
また、本発明の第六の態様は、前記第一乃至第五の何れかの態様に従う構造とされたテーパ付ドリルであって、前記テーパ部の大径側の軸方向端部において、軸直角方向に広がるストッパ面を備えたフランジ部を一体形成して、該フランジ部にまで前記テーパ切刃を形成する溝を延び出させて形成すると共に、該フランジ部における該ストッパ面の内周側隅部に対して、周方向に延びるくびれ状の周溝を形成したことを、特徴とする。このような本態様のテーパ付ドリルにおいては、穿孔作業の完了時に、穿孔対象物に対して穿孔した孔よりも大径のストッパ面が当接せしめられることから、作業者が穿孔完了を容易に認識することが出来ると共に、テーパ付ドリルの孔内への余分な入り込みが防止されて連続した穿孔作業の効率が向上される。また、フランジ部までテーパ切刃を形成する溝が延び出して形成されることから、テーパ切刃を形成する溝を通じての切屑の排出効率が向上されると共に、研削盤等によるテーパ切刃の形成が容易となる。更に、フランジ部の内周側隅部にくびれ状の周溝が形成されて、切刃を形成するドリル外周面とフランジ部のストッパ面が、かかる周溝で実質的に分断されていることから、それらドリル外周面とストッパ面の研磨加工を容易に行うことが出来ると共に、穿孔完了時にドリル外周面とストッパ面の間の隅肉部が孔の開口周縁部に接触することに起因する摩擦発熱や孔の変形などの問題が回避され得る。
【００２０】
【発明の実施形態】
以下、本発明を更に具体的に明らかにするために、本発明の実施形態について、図面を参照しつつ、詳細に説明する。
【００２１】
先ず、図１〜５には、本発明の実施形態としてのテーパ付ドリル１０が、示されている。このテーパ付ドリル１０は、全体として円錐形状乃至はコーン形状のボデー１２を有しており、ボデー１２の大径側端部には、シャンク１４が軸方向外方に突設されている。そして、シャンク１４が、電気ドリル等の駆動軸に取り付けられて中心軸回りに回転駆動せしめられることにより、例えば、デッキプレート等の薄肉金属板に対するボルト孔等の穿孔作業に供されるようになっている。
【００２２】
より詳細には、ボデー１２は、シャンク１４を含んで、高速度工具鋼によって一体形成されてむくドリルとされており、かかるボデー１２に対して、軸方向全長に亘って延びる二つの溝１６，１６と二つのランド１８，１８が、溝幅比を略１として形成されている。そして、これら溝１６，１６とランド１８，１８によって、先端切刃２０，２０を備えた先端部２２と、テーパ切刃２４，２４を備えたテーパ部２６、更にリーディングエッジ２８，２８を備えた切上部３０が、一つの中心軸３２上で一体的に形成されている。また、先端部２２の先端切刃２０，２０と、テーパ部２６のテーパ切刃２４，２４、および切上部３０のリーディングエッジ２８，２８は、溝１６，１６によって互いに連続して直線的に形成されている。
【００２３】
先端部２２のランド１８，１８は、先端切刃２０の部分で８０〜１４０度の先端角：αを有しており、特に本実施形態では、α＝略９０〜１１０度に設定されている。また、二つのランド１８，１８には、略クロス形（Ｘ形）のシンニング２７，２７が施されて、先端切刃２０とチゼルエッジの形状が調節されている。更に、先端部２２における各ランド１８の外周面は、中心軸３０に対する傾斜角度が先端切刃２０からヒール３４に向かって周方向で次第に小さくされており、それによって、先端部２２のランド１８の外周面の略全面が逃げ面３６とされている。
【００２４】
また、テーパ部２６のランド１８，１８は、その外周面のテーパ角度が、軸方向中間部分で変化せしめられており、以て、かかるテーパ部２６が、各テーパ切刃２４の部分でテーパ角度：βを有する第一のテーパ部３８とテーパ角度：γを有する第二のテーパ部４０から構成されている。これら第一及び第二のテーパ部３８，４０の各テーパ角度：β，γは、何れも、先端部２２の先端角：αよりも小さな鋭角とされており、且つ、β＞γとされている。特に本実施形態では、β＝１０〜１５度，γ＝５〜１０度に設定されている。
【００２５】
さらに、第一及び第二のテーパ部３８，４０における各ランド１８の外周面は、テーパ切刃２４からヒール３４に向かって、外径寸法が周方向で次第に小さくされており、それによって、図６〜７に横断面図とその要部拡大図が示されているように、第一及び第二のテーパ部３８，４０における各ランド１８の外周面の略全面が、テーパ逃げ面４２，４４とされている。なお、第一のテーパ部３８の外周面と第二のテーパ部４０の外周面は、互いに略相似形とされていることから、第二のテーパ部４０の要部だけを図７に示し、第一のテーパ部の要部については、対応する部位の番号を括弧書きで図７に併せ示すことによって、図示を省略する。即ち、図７中、Ｃ１は、テーパ付ドリル１０の中心軸３２を中心とする円であり、かかる円：Ｃ１に対して、周方向で漸次増大する径方向内方へのすかし量：Ｓ１をもって、テーパ逃げ面４２，４４が形成されている。
【００２６】
また、これらテーパ逃げ面４２，４４には、テーパ切刃２４から僅かに周方向後方に離隔した位置に、テーパ切刃２４に沿って直線的に延びる逃げ部４６，４８が連続的に形成されている。この逃げ部４６，４８は、ランド１８の周方向中央よりも回転方向前方側に位置せしめられており、好ましくは、テーパ切刃２４から回転方向後方に０．２〜５ｍｍだけ離隔位置して形成されている。特に、本実施形態では、かかる逃げ部４６，４８が、何れも、ＮＣ研磨機等を用いた研磨加工によって、円弧状断面を有する凹溝形状で形成されている。
【００２７】
更にまた、逃げ部４６，４８よりも回転方向後方の外周面は、テーパ逃げ面４２，４４の延長線（Ｃ２）よりも、更に径方向内方に二番すかし量：Ｓ２だけ離隔して位置せしめられた二番逃げ面５０，５２とされている。なお、二番すかし量：Ｓ２の大きさは、周方向で変化していても良く、略一定であっても良い。
【００２８】
さらに、第一及び第二のテーパ部３８，４０のランド１８，１８の外周面には、各ヒール３４に近接した位置において、二番逃げ面５０，５２から外周面側に隆起した隆起部５４，５６が突設されている。かかる隆起部５４，５６は、ランド１８，１８の表面研削加工によって一体形成されており、本実施形態では、その突出先端部分が、二番逃げ面５０，５２の鉛直線よりも径方向外方に突出せしめられて、テーパ逃げ面４２，４４の延長線：Ｃ２の略近くに位置せしめられている。
【００２９】
すなわち、第一及び第二のテーパ部３８，４０の外周面においては、逃げ部４６，４８が形成されることにより、テーパ切刃２４に近い位置で径方向内方に向かって段差状に小径化せしめられていると共に、かかる逃げ部４６，４８から周方向後方側では、隆起部５４，５６に至るまで、逃げ面３６よりも径方向内方に位置せしめられた二番逃げ面５０，５２とされている。
【００３０】
また、前記切上部３０のランド１８，１８は、外径寸法が軸方向で略一定の非テーパ部とされており、ランド１８の外周面と溝１６のすくい面によってリーディングエッジ２８が形成されている。また、切上部３０の各ランド１８の外周面は、リーディングエッジ２８からヒール４４に向かって漸次に小径化せしめられた逃げ面５８とされている。なお、切上部３０におけるランド１８，１８の外径寸法は、第二のテーパ部４０におけるランド１８，１８の軸方向後端側の最大外径寸法と同じとされている。
【００３１】
さらに、切上部３０の軸方向後方には、厚肉円板形状を有するフランジ部としてのストッパ部６０が、中心軸３２上で軸直角方向に広がって一体形成されている。そして、このストッパ部６０における第二のテーパ部４０側の軸方向端面が、軸直角方向に広がるストッパ面６２とされている。なお、第二のテーパ部４０のランド１８，１８の外周面とストッパ面６２の連接部分には、第二のテーパ部４０の軸方向端部の全長に亘って周方向に連続して延びる周溝６４，６４が形成されている。これにより、ランド１８，１８の外周面からのストッパ面６２の立上り隅部が、径方向内方に逃がされている。
【００３２】
また、本実施形態では、先端部２２とテーパ部２６および切上部３０に跨がって形成された溝１６，１６が、ストッパ部６０にまで延び出して形成されており、それらの溝１６，１６によってストッパ部６０の外周部分が二カ所で切り欠かれた形状とされている。なお、かかる溝１６は、図１に示されている如く、平面形状のすくい面６６を有しており、かかるすくい面６６の立ち上がり方向での正面視において、中心軸３２を含む平面に対してすくい面６６が交差せしめられている。これにより、テーパ切刃２４における逃げ面３６とすくい面６６の交角が、テーパ部２６の大径側、特に第二のテーパ部３８において、鋭角化されており、好ましくはかかる交角：εが、７５度≦ε≦８８度、より好ましくは８０度≦ε≦８７度に設定される。このような溝１６は、例えば、研削加工によって有利に形成され得る。
【００３３】
更にまた、ストッパ部６０の外面中央部分には、中心軸３２上で軸方向外方に延び出すシャンク１４が一体形成されている。なお、本実施形態では、三角形断面のシャンク形状とされていにると共に、軸方向の中間部分には、周方向に連続して延びる係止溝６８が形成されている。
【００３４】
そして、このような構造とされたテーパ付ドリル１０は、例えば、図８に示されているように、回転駆動軸７０の先端に設けられた取付穴７２に対して、シャンク１４が差し込まれて、取付穴７２の内周面に突出して付勢配置された係合ボール７４が係止溝６８に係止されることによって、軸方向および回転方向の相対変位が阻止された状態で、回転駆動軸７０に対して同軸的に取り付けられることとなる。なお、図８において、７６は、回転駆動軸７０に対して外挿装着されたカップリングスリーブであり、このカップリングスリーブ７６によって、係合ボール７４の係止溝６８からの離脱が阻止されていると共に、該カップリングスリーブ７６を、内臓スプリング７８の付勢力に抗して軸方向に変位させることにより、係合ボール７４の係止溝６８からの離脱が許容されて、テーパ付ドリル１０を回転駆動軸７０から取り外すことが出来るようになっている。
【００３５】
また、かくの如く回転駆動軸７０に取り付けられたテーパ付ドリル１０は、例えば、図９に示されているように、回転駆動軸７０を電気ドリル８０の出力軸に連結固定し、該電気ドリル８０を作業者８２が操作することによって、デッキプレート等の金属板８４に対するボルト挿通孔８６の穿孔作業に供されることとなる。
【００３６】
そこにおいて、上述の如きテーパ付ドリル１０においては、先端切刃２０，２０に続くテーパ切刃２４，２４を形成するランド１８，１８の外周面に対して、それぞれ、テーパ切刃２４に近接形成された逃げ部４６，４８とヒール３４に近接形成された隆起部５４，５６が形成されて、それら逃げ部４６，４８と隆起部５４，５６の間の表面部分が、すかし量の大きい二番逃げ面５０，５２とされており、それら二番逃げ面５０，５２の穿孔内周面に対する摺接が軽減乃至は回避され得ることとなる。
【００３７】
それ故、ドリル外周面の穿孔内周面に対する摺接面積の軽減による摺動抵抗の低減効果が発揮されて、電気ドリル８０に要求される駆動力が軽減されると共に、ドリルの駆動反力が小さくなって穿孔作業労力も軽減され得る。また、駆動力や作業労力が軽減されることから、穿孔速度の向上も達成され得るのである。更にまた、テーパ部２６の外周面と削孔内周面との摺接面における摩擦熱も軽減されることから、ドリルの耐久性も向上され得る。
【００３８】
しかも、テーパ部２６のランド１８，１８には、テーパ切刃２４から周方向に大きく離隔したヒール３４，３４に近接位置して隆起部５４，５６が形成されていることから、穿孔に際して、各ランド１８において、かかる隆起部５４，５６が、孔内周面に対して優先的に摺接されることとなり、その結果、回転中心軸３２が安定化せしめられて、目的とする穿孔作業を容易に且つ安定して行うことが出来るのである。
【００３９】
また、本実施形態では、テーパ部２６が、互いにテーパ角の異なる第一及び第二のテーパ部３８，４０で構成されており、穿孔した孔の口径が大きくなるに従ってテーパ切刃２４のテーパ角が小さくされることから、穿孔作業の全体に亘って、テーパ付ドリル１０に及ぼされる穿孔反力、換言すれば電気ドリル８０に要求される回転駆動力の変化が軽減乃至は防止されるのであり、作業に必要とされる駆動反力の変化も軽減されて、作業性の更なる向上が図られ得る。
【００４０】
因みに、上述の如き構造とされたテーパ付ドリル１０を試作し、かかる試作品について実用性を検査した。なお、試作品においては、先端部２２を、先端角≒９０度，最大外径寸法≒４ｍｍとする一方、第一のテーパ部３８を、テーパ角≒１２．５度，最大外径寸法≒９．５ｍｍφとすると共に、第二のテーパ部４０を、テーパ角≒８度，最大外径寸法≒１６ｍｍφとした。その結果、電気ドリルを回転駆動手段として用いた鉄鋼製のデッキプレートへの連続穿孔作業に際して、テーパ部２６の外周面に逃げ部４６，４８や隆起部５４，５６を形成しない従来構造のテーパ付ドリルに比して、本発明に従う構造とされた試作品のテーパ付ドリル（１０）では、作業者に及ぼされる回転反力の軽減効果が明らかに体感される程であり、穿孔作業の速度、即ち、一定数の穿孔作業に要する時間も、同一作業条件下で１０％以上、向上された。
【００４１】
なお、上記試作品について、真円度の精密測定機を用い、中心軸回りに回転させた際の外周面の変位を、位置固定に設置した距離センサで計測することによって、外周面形状を実測した結果を、図１０〜１３に示す。図１０〜１３は、それぞれ、図２におけるａ−ａ〜ｄ−ｄの各断面に対応する外周面の測定データである。これらの測定データから、かかる試作品においては、第一及び第二のテーパ部３８，４０の外周面に対して、テ―パ切刃２４に近接位置して逃げ部４６，４８が形成されていると共に、ヒール３４に近接位置して隆起部５４，５６が形成されており、それら逃げ部４６，５８と隆起部５４，５６の間が、テーパ逃げ面４２，４４の延長線：Ｃ２よりも、更に径方向内方に位置せしめられた二番逃げ面５０，５２とされていることが、明らかに認められる。
【００４２】
以上、本発明の一実施形態について詳述してきたが、これはあくまでも例示であって、本発明は、かかる実施形態における具体的な記載によって、何等、限定的に解釈されるものでない。
【００４３】
例えば、前記実施形態では、テーパ部２６が、互いにテーパ角の異なる二つのテーパ部３８，４０から構成されていたが、それら両テーパ部３８，４０の相対的な長さや角度等は、特に限定されるものでない。
【００４４】
また、テーパ部２６を、一定のテーパ角を有する単一のテーパ部で構成することも可能であり、また、互いにテーパ角の異なる三つ以上のテーパ部で構成しても良い。或いはまた、軸方向でテーパ角が漸次に連続的に変化する曲面形状のテーパ部を採用することも可能である。
【００４５】
更にまた、溝１６のねじれ角や、ボデー１２の軸方向長さなどによっては、溝１６を直接的に形成することなく、ボデー１２の外周面を螺旋状に延びる形態をもって形成しても良い。
【００４６】
また、切上部３０やストッパ部６０には、切刃やリーディングエッジは必ずしも必要でないことから、それら切上部３０やストッパ部６０にまで延び出さない長さで溝１６を形成しても良い。
【００４７】
加えて、本発明に従う構造とされたテーパ付ドリルは、ボール盤等の工作機械に装着して使用することも、勿論、可能である。
【００４８】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもないところである。
【００４９】
【発明の効果】
上述の説明から明らかなように、本発明に従う構造とされたテーパ付ドリルにおいては、テーパ部のテーパ切刃に沿って形成した逃げ部と、ヒールに沿って形成した隆起部によって、テーパ部外周面の穿孔内周面に対する安定的な摺接状態を確保しつつ、それらテーパ部の外周面と穿孔内周面の間での摺動抵抗を大幅に低減させることが出来るのであり、それによって、目的とする穿孔を、優れた作業性をもって速やかに且つ高精度に行うことが可能となるのである。
【図面の簡単な説明】
【図１】本発明の一実施形態としてのテーパ付ドリルを示す正面図である。
【図２】図１における左側面図である。
【図３】図１に示されたテーパ付ドリルの平面図である。
【図４】図１に示されたテーパ付ドリルの底面図である。
【図５】図１に示されたテーパ付ドリルの斜視図である。
【図６】図１におけるＶＩ−ＶＩ断面図である。
【図７】図６の要部を拡大して示す説明図である。
【図８】図１に示されたテーパ付ドリルの回転駆動軸への装着状態を示す説明図である。
【図９】図１に示されたテーパ付ドリルの使用状態を概略的に示す説明図である。
【図１０】図２におけるａ−ａ断面に対応する外周面形状の実測結果を示すグラフである。
【図１１】図２におけるｂ−ｂ断面に対応する外周面形状の実測結果を示すグラフである。
【図１２】図２におけるｃ−ｃ断面に対応する外周面形状の実測結果を示すグラフである。
【図１３】図２におけるｄ−ｄ断面に対応する外周面形状の実測結果を示すグラフである。
【符号の説明】
１０  テーパ付ドリル
１２  ボデー
１４  シャンク
２０  先端切刃
２２  先端部
２４  テーパ切刃
２６  テーパ部
３８  第一のテーパ部
４０  第二のテーパ部
４６，４８  逃げ部
５０，５２  二番逃げ面
５４，５６  隆起部
【図１】
0003597774.tif 000002
【図２】
0003597774.tif 000003
【図３】
0003597774.tif 000004
【図４】
0003597774.tif 000005
【図５】
0003597774.tif 000006
【図６】
0003597774.tif 000007
【図７】
0003597774.tif 000008
【図８】
0003597774.tif 000009
【図９】
0003597774.tif 000010
【図１０】
0003597774.tif 000011
【図１１】
0003597774.tif 000012
【図１２】
0003597774.tif 000013
【図１３】
0003597774.tif 000014